(57)【要約】【課題】製造単価を下げ、かつデータ駆動部の破損及び誤動作の防止が可能なプラズマディスプレイ装置及びその駆動方法を提供すること。【解決手段】本発明の一実施形態に係るプラズマディスプレイ装置は、アドレス電極を備えるプラズマディスプレイパネルと、前記アドレス電極にグラウンド電圧より高くかつデータ電圧Ｖａよりも低い第１電圧Ｖａｂ及びデータ電圧Ｖａを供給するデータ駆動部と、前記第１電圧Ｖａｂ及び前記データ電圧Ｖａを発生して、前記データ駆動部に供給する駆動電圧発生部とを備える。【選択図】図７
2007004178.tif 000002
【特許請求の範囲】
【請求項１】
アドレス電極を備えるプラズマディスプレイパネルと、
前記アドレス電極に、グラウンド電圧より高い第１電圧及びデータ電圧を供給するデータ駆動部と、
前記第１電圧及び前記データ電圧を発生して、前記データ駆動部に供給する駆動電圧発生部と
を備えたことを特徴とするプラズマディスプレイ装置。
【請求項２】
前記アドレス電極は複数の放電セルに接続されており、
前記データ駆動部は、
データパルスを供給する期間以外の期間に、前記第１電圧を前記アドレス電極に供給するように制御する第１電圧供給制御部と、
データパルスを供給する期間に、前記データ電圧を前記アドレス電極に供給するように制御するデータ電圧供給制御部と
を備えたことを特徴とする請求項１に記載のプラズマディスプレイ装置。
【請求項３】
前記第１電圧供給制御部は、前記アドレス期間において、データパルスを供給する期間以外の期間に、前記アドレス電極に前記第１電圧を持続的に供給し、
データパルスを供給する期間に、前記第１電圧供給制御部と交代して前記データ電圧供給制御部が駆動されることを特徴とする、
請求項２に記載のプラズマディスプレイ装置。
【請求項４】
前記第１電圧供給制御部は、互いに逆方向の逆流電流を防止する第２スイッチ及び第３スイッチを含むことを特徴とする、請求項２に記載のプラズマディスプレイ装置。
【請求項５】
前記第２スイッチ及び前記第３スイッチは、それぞれボディーダイオードを備え、
前記第２スイッチのボディーダイオードと前記第３スイッチのボディーダイオードとは、逆方向に接続されることを特徴とする、
請求項４に記載のプラズマディスプレイ装置。
【請求項６】
前記第１電圧は、グラウンド電圧より大きく、かつ、前記データ電圧より小さな電圧であることを特徴とする、請求項１に記載のプラズマディスプレイ装置。
【請求項７】
前記データ駆動部は、前記リセット期間の間に前記アドレス電極にグラウンド電圧を供給することを特徴とする、請求項１に記載のプラズマディスプレイ装置。
【請求項８】
前記第１電圧は、グラウンド電圧より大きく、かつ、放電が発生する放電開始電圧からスキャン電極に印加されるスキャン電圧及び放電に関与する壁電荷電圧を引いた電圧の大きさより小さな電圧であることを特徴とする、請求項１に記載のプラズマディスプレイ装置。
【請求項９】
前記第１電圧は、前記データ電圧の１／４より大きく、かつ、放電が発生する放電開始電圧からスキャン電極に印加されるスキャン電圧及び放電に関与する壁電荷電圧を引いた電圧の大きさより小さな電圧であることを特徴とする、請求項８に記載のプラズマディスプレイ装置。
【請求項１０】
リセット期間の間にアドレス電極にグラウンド電圧を供給するステップと、
アドレス期間の間に前記アドレス電極にグラウンド電圧より高い第１電圧を供給するステップと、
前記アドレス期間の間にスキャン電極にスキャン基準電圧を供給すると共に、各スキャン電極に順次スキャンパルスを供給するステップと、
前記アドレス期間の間に、前記スキャンパルスに同期させて、前記アドレス電極にデータ電圧を供給するステップと、
サステイン期間の間に前記アドレス電極にグラウンド電圧を供給するステップと
を含むことを特徴とするプラズマディスプレイ装置の駆動方法。
【請求項１１】
前記第１電圧は、前記グラウンド電圧より大きく、前記データ電圧より小さなことを特徴とする、請求項１０に記載のプラズマディスプレイ装置の駆動方法。
【請求項１２】
前記第１電圧は、前記グラウンド電圧より大きく、かつ、放電が発生する放電開始電圧から前記アドレス期間においてスキャン電極に印加されるスキャン電圧及び放電に関与する壁電荷の電圧を引いた電圧の大きさより小さな電圧であることを特徴とする、請求項１０に記載のプラズマディスプレイ装置の駆動方法。
【請求項１３】
前記第１電圧は、前記データ電圧の１／４より大きく、かつ、放電が発生する放電開始電圧からスキャン電極に印加されるスキャン電圧及び放電に関与する壁電荷電圧を引いた電圧の大きさより小さな電圧であることを特徴とする、請求項１２に記載のプラズマディスプレイ装置の駆動方法。
【請求項１４】
前記スキャン基準電圧は、前記グラウンド電圧より低いことを特徴とする、請求項１０に記載のプラズマディスプレイ装置の駆動方法。
【請求項１５】
リセット期間の間にアドレス電極にグラウンド電圧より高い第１電圧を供給するステップと、
アドレス期間の間に前記アドレス電極に前記第１電圧を供給するステップと、
前記アドレス期間の間にスキャン電極にスキャン基準電圧を供給すると共に、各スキャン電極に順次スキャンパルスを供給するステップと、
前記アドレス期間の間に、前記スキャンパルスに同期させて、前記アドレス電極にデータ電圧を供給するステップと
を含むことを特徴とするプラズマディスプレイ装置の駆動方法。
【請求項１６】
前記第１電圧は、前記グラウンド電圧より大きく、かつ、前記データ電圧より小さなことを特徴とする請求項１５に記載のプラズマディスプレイ装置の駆動方法。
【請求項１７】
前記第１電圧が、前記グラウンド電圧より大きく、かつ、放電が発生する放電開始電圧から前記アドレス期間においてスキャン電極に印加されるスキャン電圧及び放電に関与する壁電荷の電圧を引いた電圧の大きさより小さな電圧であることを特徴とする、請求項１５に記載のプラズマディスプレイ装置の駆動方法。
【請求項１８】
前記第１電圧が、前記データ電圧の１／４より大きく、かつ、放電が発生する放電開始電圧からスキャン電極に印加されるスキャン電圧及び放電に関与する壁電荷電圧を引いた電圧の大きさより小さな電圧であることを特徴とする、請求項１７に記載のプラズマディスプレイ装置の駆動方法。
【請求項１９】
前記スキャン基準電圧は、前記グラウンド電圧より低いことを特徴とする、請求項１５に記載のプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【０００２】
通常、ディスプレイ装置のうちプラズマディスプレイ装置は、プラズマディスプレイパネル及び該プラズマディスプレイパネルを駆動する駆動部を備える。
【０００３】
通常、プラズマディスプレイパネルとは、前面パネルと後面パネルとの間に形成された隔壁が１つのセルをなすものであって、各放電セル内には、ネオン（Ｎｅ）、ヘリウム（Ｈｅ）又はネオン及びヘリウムの混合気体（Ｎｅ＋Ｈｅ）のような主放電気体と少量のキセノン（Ｘｅ）とを含有する不活性ガスが充填されている。
【０００４】
このような放電セルが複数集まって、１つのピクセルをなす。例えば、赤色（Ｒｅｄ，Ｒ）放電セル、緑色（Ｇｒｅｅｎ，Ｇ）放電セル、青色（Ｂｌｕｅ，Ｂ）放電セルが集まって、１つのピクセルをなすのである。
【０００５】
このようなプラズマディスプレイパネルは、高周波電圧により放電される際に、不活性ガスは、真空紫外線（Ｖａｃｕｕｍ  Ｕｌｔｒａｖｉｏｌｅｔ  ｒａｙｓ）を発生し、隔壁の間に形成された蛍光体を発光させることにより、画像が具現される。このようなプラズマディスプレイパネルは、薄くて軽い構成が可能なので、次世代表示装置として注目されつつある。
【０００６】
図１は、従来のプラズマディスプレイ装置の駆動波形を示す図である。
【０００７】
同図に示すように、サブフィールドＳＦそれぞれは、全画面の放電セルを初期化するためのリセット期間ＲＰ、放電セルを選択するためのアドレス期間ＡＰ及び選択された放電セルの放電を維持させるためのサステイン期間ＳＰを含む。
【０００８】
リセット期間ＲＰにあって、セットアップ期間ＳＵには、全てのスキャン電極Ｙに立ち上がりランプ波形ＰＲが同時に印加される。この立ち上がりランプ波形ＰＲにより全画面のセル内には、微弱な放電（セットアップ放電）が起きるようになり、セル内に壁電荷が生成される。
【０００９】
セットダウン期間ＳＤには、立ち上がりランプ波形ＰＲが印加された後に、立ち上がりランプ波形ＰＲのピック電圧より低い正極性（＋）のサステイン電圧Ｖｓから負極性のスキャン電圧−Ｖｙまで所定の傾斜で立ち下がる立下りランプ波形ＮＲがスキャン電極Ｙに同時に印加される。
【００１０】
立下りランプ波形ＮＲは、セル内に微弱な消去放電を起こすことによって、セットアップ放電により生成された壁電荷及び空間電荷のうち、不要電荷を消去させて全画面のセル内にアドレス放電に必要な壁電荷を均一に残留させる。
【００１１】
アドレス期間ＡＰには、負極性（−）のスキャンパルスＳＣＮＰがスキャン電極Ｙに順次印加されると同時に、アドレス電極に正極性（＋）のデータパルスＤＰが印加される。このスキャンパルスＳＣＮＰとデータパルスＤＰとの電圧差とリセット期間ＲＰに生成された壁電圧とが加算されながら、データパルスＤＰが印加されるセル内にはアドレス放電が発生する。アドレス放電により選択されたセル内には、壁電荷が生じる。
【００１２】
一方、セットダウン期間ＳＤの間とアドレス期間ＡＰの間とに、サステイン電極Ｚには正極性（＋）のサステイン電圧Ｖｓが印加される。
【００１３】
サステイン期間ＳＰには、スキャン電極Ｙとサステイン電極Ｚに交互にサステインパルスＳＵＰが印加される。そうすると、アドレス放電により選択されたセルは、セル内の壁電圧とサステインパルスＳＵＰとが加算されながら、毎サステインパルスＳＵＰが印加されるごとに、スキャン電極Ｙとサステイン電極Ｚとの間に面放電の形態でサステイン放電が起きる。ここで、サステインパルスＳＵＰは、サステイン電圧Ｖｓと同じ電圧値を有する。
【００１４】
図２は、通常のプラズマディスプレイ装置の電極配置を示す図である。
【００１５】
同図に示すように、放電セル１は、スキャン電極ラインＹ１〜Ｙｎ、サステイン電極ラインＺ１〜Ｚｎ及びアドレス電極ライン（又はデータ電極ライン）Ｘ１〜Ｘｍの交差地点ごとに構成されるのが分かる。
【００１６】
スキャン電極ラインＹ１〜Ｙｎには、スキャンパルスを供給して放電セル１をライン単位でスキャンさせると共に、サステインパルスを供給して放電セル１における放電を維持させるようにする。
【００１７】
サステイン電極ラインＺ１〜Ｚｎには、共通的にサステインパルスを供給してスキャン電極ラインＹ１〜Ｙｎと共に放電セル１における放電を維持させるようにする。
【００１８】
アドレス電極ラインＸ１〜Ｘｍは、スキャンパルスと同期されるデータパルスをライン単位で供給し、データパルスの論理値に応じて放電が維持される放電セル１を選択させるようにする。
【００１９】
図１と図２のように、プラズマディスプレイ装置は、アドレス期間ＡＰにスキャン電極ラインＹに順次印加されるスキャン信号 −ＳＣＮＰと、アドレス電極ラインＸに供給されるデータ信号（又はアドレス信号）（ＤＰ）とにより放電セル１を選択する。
【００２０】
図３は、図２のようなプラズマディスプレイ装置において、アドレス期間に電極に印加される駆動信号及び選択される放電セルを簡略に示す図である。
【００２１】
同図に示すように、アドレス期間ＡＰに表示放電が発生する放電セルを選択するために、スキャン電極ラインにスキャン信号−ＳＣＮＰが順次供給される。これと同時に、アドレス電極ラインＸにはデータパルスＤＰが供給される。
【００２２】
すなわち、第１スキャン電極ラインＹ１にスキャン信号 −ＳＣＮＰが供給される間に、表示放電が行われる第１及び第３放電セルＲ１，Ｂ１には、正極性データパルスＤＰが供給され、表示放電が行われない第２放電セルＧ１には、データパルスＤＰが供給されない。
【００２３】
この時、第１及び第３放電セルＲ１，Ｂ１は、スキャン信号 −ＳＣＮＰとデータパルスＤＰによりアドレス放電が発生する。このようなアドレス放電は、負極性のスキャン信号−ＳＣＮＰが有する電位−Ｖｙと正極性のデータパルスＤＰが有する電位Ｖａとの差（Ｖａ＋Ｖｙ）と、壁電荷とにより発生する。
【００２４】
このようなデータパルスＤＰは、図３に示されたデータ駆動部２によりアドレス電極ラインＸに供給される。
【００２５】
このデータ駆動部２は、タイミングコントローラ（図示せず）のような外部制御回路から供給される制御信号ＣＳに同期して、駆動電圧発生部（図示せず）から供給される信号電圧Ｖａ，ＧＮＤをスイッチングによりアドレス電極ラインＸに供給する。
【００２６】
しかし、従来のＰＤＰは、データパルスＤＰのハイ論理値電位Ｖａとロー論理値電位（ＧＮＤ）との電圧差が大きい。
【００２７】
特に、従来のプラズマディスプレイパネルが有するハイ論理値とロー論理値が、最低数十ボルト［Ｖ]から最大数百ボルト［Ｖ]の電位差を有する。
【００２８】
このような、データパルスＤＰのローとハイ論理値との差は、このデータパルスＤＰを処理するデータ駆動部２の負担となる。このような負担は、データパルスＤＰの高い電圧に耐えることのできる程度の大きい耐圧を持たせるために、データ駆動部２の耐圧定格は、実際に供給されるデータパルスＤＰの電圧より大きい電圧の大きさを有するようになる。
【００２９】
すなわち、データ駆動部２は、データパルスＤＰのハイ論理値の電圧Ｖａより大きい耐圧定格を有するようになり、これにより、データ駆動部２の製造の際の製造単価の上昇を引き起こすという問題がある。
【００３０】
また、高い耐圧により、従来のＰＤＰのデータ駆動部２には、熱が多く発生し、この熱によって素子の破損及び誤動作が頻繁に発生するという問題もある。
【発明の開示】
【発明が解決しようとする課題】
【００３１】
本発明は、上記した問題を解決するためになされたものであって、その目的は、製造単価を下げ、かつデータ駆動部の破損及び誤動作の防止が可能なプラズマディスプレイ装置及びその駆動方法を提供することにある。
【課題を解決するための手段】
【００３２】
本発明の一実施形態に係るプラズマディスプレイ装置は、アドレス電極を備えるプラズマディスプレイパネルと、前記アドレス電極にグラウンド電圧より高い第１電圧及びデータ電圧を供給するデータ駆動部と、前記第１電圧及び前記データ電圧を発生して、前記データ駆動部に供給する駆動電圧発生部とを備える。
【００３３】
本発明の他の一実施形態に係るプラズマディスプレイ装置の駆動方法は、リセット期間の間にアドレス電極にグラウンド電圧を供給するステップと、アドレス期間の間に前記アドレス電極にグラウンド電圧より高い第１電圧を供給すると共に、各スキャン電極に順次スキャンパルスを供給するステップと、前記アドレス期間の間に、前記スキャンパルスに同期させて、スキャン電極にスキャン基準電圧を供給するステップと、前記アドレス期間の間に前記アドレス電極にデータ電圧を供給するステップと、サステイン期間の間に前記アドレス電極にグラウンド電圧を供給するステップとを含む。
【００３４】
本発明のさらに他の一実施形態に係るプラズマディスプレイ装置の駆動方法は、リセット期間の間にアドレス電極にグラウンド電圧より高い第１電圧を供給するステップと、アドレス期間の間に前記アドレス電極に前記第１電圧を供給すると共に、各スキャン電極に順次スキャンパルスを供給するステップと、前記アドレス期間の間に前記スキャンパルスに同期させて、スキャン電極にスキャン基準電圧を供給するステップと、前記アドレス期間の間に前記アドレス電極にデータ電圧を供給するステップとを含む。
【発明の効果】
【００３５】
本発明は、アドレス期間のうち、データパルスを供給する期間と、データパルスが供給されない残り期間との間の電位差を低減することによって、データ駆動部に対する耐圧の要求を低減することができる。
【００３６】
また、データ駆動部が低い耐圧定格を有するようになるので、データ駆動部から発生する熱を減少させることができ、駆動素子の破損及び誤動作を防止できるという効果がある。
【発明を実施するための最良の形態】
【００３７】
以下、本発明の最も好ましい実施形態を、添付した図面を参照して詳細に説明する。
【００３８】
本発明の一実施形態に係るプラズマディスプレイ装置は、アドレス電極を備えるプラズマディスプレイパネルと、前記アドレス電極にグラウンド電圧より高い第１電圧及びデータ電圧を供給するデータ駆動部と、前記第１電圧及び前記データ電圧を発生して、前記データ駆動部に供給する駆動電圧発生部とを備える。
【００３９】
前記データ駆動部は、データパルスを供給する期間以外の期間に、前記第１電圧を前記アドレス電極に供給するように制御する第１電圧供給制御部と、データパルスを供給する期間に、前記データ電圧を前記アドレス電極に供給するように制御するデータ電圧供給制御部とを備える。
【００４０】
前記第１電圧供給制御部は、前記アドレス期間において、データパルスを供給する期間以外の期間に、前記アドレス電極に前記第１電圧を持続的に供給し、データパルスを供給する期間に、前記第１電圧供給制御部と交代して前記データ電圧供給制御部が駆動されることが好ましい。
【００４１】
前記第１電圧供給制御部は、互いに逆方向の逆流電流を防止する第２スイッチ及び第３スイッチを含むことが好ましい。
【００４２】
前記第２スイッチ及び前記第３スイッチは、それぞれボディーダイオードを備え、
前記第２スイッチのボディーダイオードの前記第３スイッチのボディーダイオードとは、逆方向に接続されることが好ましい。
【００４３】
前記第１電圧は、グラウンド電圧より大きく、前記データ電圧より小さな電圧であることが好ましい。
【００４４】
前記データ駆動部は、前記リセット期間の間に前記アドレス電極にグラウンド電圧を供給することが好ましい。
【００４５】
前記第１電圧は、グラウンド電圧より大きく、放電が発生する放電開始電圧からスキャン電極に印加されるスキャン電圧及び放電に関与する壁電荷電圧を引いた電圧の大きさより小さな電圧であることが好ましい。
【００４６】
前記第１電圧は、前記データ電圧の１／４より大きく、放電が発生する放電開始電圧からスキャン電極に印加されるスキャン電圧及び放電に関与する壁電荷電圧を引いた電圧の大きさより小さな電圧であることが好ましい。
【００４７】
本発明の他の一実施形態に係るプラズマディスプレイ装置の駆動方法は、リセット期間の間にアドレス電極にグラウンド電圧を供給するステップと、アドレス期間の間に前記アドレス電極にグラウンド電圧より高い第１電圧を供給するステップと、前記アドレス期間の間にスキャン電極にスキャン基準電圧を供給すると共に、各スキャン電極に順次スキャンパルスを供給するステップと、前記アドレス期間の間に、前記スキャンパルスに同期させて、前記アドレス電極にデータ電圧を供給するステップと、サステイン期間の間に前記アドレス電極にグラウンド電圧を供給するステップとを含む。
【００４８】
前記第１電圧は、前記グラウンド電圧より大きく、前記データ電圧より小さなことが好ましい。
【００４９】
前記第１電圧は、前記グラウンド電圧より大きく、放電が発生する放電開始電圧から前記アドレス期間においてスキャン電極に印加されるスキャン電圧及び放電に関与する壁電荷の電圧を引いた電圧の大きさより小さな電圧であることが好ましい。
【００５０】
前記第１電圧は、前記データ電圧の１／４より大きく、放電が発生する放電開始電圧からスキャン電極に印加されるスキャン電圧及び放電に関与する壁電荷電圧を引いた電圧の大きさより小さな電圧であることが好ましい。
【００５１】
前記スキャン基準電圧は、前記グラウンド電圧より低いことが好ましい。
【００５２】
本発明のさらに他の一実施形態に係るプラズマディスプレイ装置の駆動方法は、リセット期間の間にアドレス電極にグラウンド電圧より高い第１電圧を供給するステップと、アドレス期間の間に前記アドレス電極に前記第１電圧を供給するステップと、前記アドレス期間の間にスキャン電極にスキャン基準電圧を供給すると共に、各スキャン電極に順次スキャンパルスを供給するステップと、前記アドレス期間の間に、前記スキャンパルスに同期させて、前記アドレス電極にデータ電圧を供給するステップとを含む。
【００５３】
前記第１電圧は、前記グラウンド電圧より大きく、前記データ電圧より小さなことが好ましい。
【００５４】
前記第１電圧は、前記グラウンド電圧より大きく、放電が発生する放電開始電圧から前記アドレス期間においてスキャン電極に印加されるスキャン電圧及び放電に関与する壁電荷の電圧を引いた電圧の大きさより小さな電圧であることが好ましい。
【００５５】
前記第１電圧は、前記データ電圧の１／４より大きく、放電が発生する放電開始電圧からスキャン電極に印加されるスキャン電圧及び放電に関与する壁電荷電圧を引いた電圧の大きさより小さな電圧であることが好ましい。
【００５６】
前記スキャン基準電圧は、前記グラウンド電圧より低いことが好ましい。
【００５７】
以下では、本発明の一実施形態に係る具体的な実施形態を、添付した図面を参照して説明する。
【００５８】
図４は、本発明の一実施形態に係るプラズマディスプレイ装置において、２５６階調を具現するための８ビットデフォルトコードのサブフィールドパターンを示す図である。
【００５９】
同図に示すように、本発明の一実施形態に係るプラズマディスプレイ装置は、画像の階調を具現するために、１フレームを発光回数の異なる複数のサブフィールドに分けて時分割駆動する。
【００６０】
各サブフィールドは、全画面を初期化させるためのリセット期間、スキャンラインを選択し、該選択されたスキャンラインから放電セルを選択するためのアドレス期間、スキャンラインを選択し、該選択されたスキャンラインから放電セルを選択するためのアドレス期間、及び放電回数に応じて階調を具現するサステイン期間とに分けられる。
【００６１】
例えば、２５６階調で画像を表示しようとする場合、１／６０秒に該当するフレーム期間（１６．６７ｍｓ）は、８個のサブフィールドＳＦ１〜ＳＦ８に分けられる。８個のサブフィールドＳＦ１〜ＳＦ８それぞれは、前述したように、リセット期間ＲＰ、アドレス期間ＡＰ、及びサステイン期間ＳＰに分けられる。
【００６２】
この時、各サブフィールドのリセット期間ＲＰ及びアドレス期間ＡＰは、各サブフィールドごとに同じである反面、サステイン期間とそれに割り当てられるサステインパルスの数は、各サブフィールドにおいて２ｎ（ｎ＝０，１，２，３，４，５，６，７）の割合で増加する。
【００６３】
ここで、図４は、本発明の一実施形態に係るプラズマディスプレイ装置が適用できるサブフィールドパターンの一例のみを示して説明したものであって、本発明が図１のサブフィールドパターンに限定されるものではない。
【００６４】
図５は、本発明の実施形態に係るプラズマディスプレイ装置を示す図である。
【００６５】
同図に示すように、本発明の実施形態に係るプラズマディスプレイ装置は、画像を表示するためのプラズマディスプレイパネル（Ｐｌａｓｍａ  Ｄｉｓｐｌａｙ  Ｐａｎｅｌ；以下「ＰＤＰ」と記す）５２、赤色（Ｒ）、緑色（Ｇ）及び青色（Ｂ）蛍光体が塗布された放電セル５４のアドレス電極Ｘ１〜Ｘｍに赤色（Ｒ）、緑色（Ｇ）及び青色（Ｂ）データを供給するためのデータ駆動部５６、スキャン電極Ｙ１〜Ｙｎを駆動するためのスキャン駆動部６０、サステイン電極Ｚを駆動するためのサステイン駆動部６２、各駆動部５６、６０、６２を制御するためのタイミングコントローラ６４及び各駆動部５６、６０、６２に必要とする駆動電圧を供給するための駆動電圧発生部６６を備える。データ駆動部５６は、データパルスＤＰを出力するための複数の端子を備え、各端子は各アドレス電極Ｘ１〜Ｘｍに接続されている。
【００６６】
ＰＤＰ５２は、スキャン電極Ｙ１〜Ｙｎ及びサステイン電極Ｚが形成された上部基板と、アドレス電極Ｘ１〜Ｘｍが形成された下部基板とからなる。
【００６７】
このようなＰＤＰ５２は、スキャン電極Ｙ１〜Ｙｎ、サステイン電極Ｚ及びアドレス電極Ｘ１〜Ｘｍが交差する領域に放電セル５４が形成される。
【００６８】
この放電セル５４の内部には、赤色（Ｒ）、緑色（Ｇ）及び青色（Ｂ）の蛍光体が塗布され、データ駆動部５６，５８、スキャン駆動部６０及びサステイン駆動部６２から供給される駆動波形により駆動される。
【００６９】
データ駆動部５６は、タイミングコントローラ６４から供給されるタイミング制御信号Ｃｘに応答して、赤色（Ｒ）、緑色（Ｇ）及び青色（Ｂ）データをサンプリングしラッチしてから、赤色（Ｒ）、緑色（Ｇ）及び青色（Ｂ）データのデータ電圧Ｖａを赤色（Ｒ）、緑色（Ｇ）及び青色（Ｂ）蛍光体が塗布された放電セル５４のアドレス電極Ｘ１〜Ｘｍに供給する。
【００７０】
ここで、このデータ駆動部５６は、第１及び第２データ駆動部５６に分けられて設置して駆動することが可能であり、この時のデータ駆動部は、ＰＤＰ５２の上下又は左右に分けられて設置される。
【００７１】
すなわち、第１データ駆動部が、赤色（Ｒ）、緑色（Ｇ）及び青色（Ｂ）のうちの２種類の色のデータをアドレス電極Ｘ１〜Ｘｍのうちの一部に供給すれば、第２データ駆動部が残り１つの色のデータを残りアドレス電極Ｘ１〜Ｘｍに供給して駆動することが可能である。
【００７２】
ここで、データ駆動部５６には、データ駆動部５６にデータ電圧Ｖａにより加えられる電圧による耐圧を減少させるための正極性のバイアス電圧である第１電圧Ｖａｂが供給される。
【００７３】
この時、データ駆動部５６に供給される第１電圧Ｖａｂは、グラウンド電圧（ＧＮＤ）０Ｖより大きく、かつ、データ電圧Ｖａの大きさより小さな範囲の電圧を有する。
【００７４】
データ駆動部５６に供給されるこの第１電圧Ｖａｂは、データ電圧Ｖａとの電圧差Ｖａ−Ｖａｂを減少させて、データ駆動部５６に加えられる耐圧を減少させるが、データ電圧ＶａとスキャンパルスＳＣＮＰのスキャン電圧−Ｖｙとの電圧差Ｖａ−（−Ｖｙ）＝Ｖａ＋Ｖｙは、従来と同じ大きさを有するようになるため、アドレス放電は正常に行われる。
言い換えると、従来、データ駆動部５６の各端子において、データパルスＤＰを供給して点灯セルを選択する期間以外の期間（非選択期間と称す）における電圧がＧＮＤである場合には、非選択期間とデータパルスＤＰを供給して点灯セルを選択する期間（選択期間）との電位差は、Ｖａ−０＝Ｖａとなる。一方、非選択期間における電圧をＶａｂ（０＜Ｖａｂ＜Ｖａ）とすると、選択期間と非選択期間の電位差は、Ｖａ−Ｖａｂ（＜Ｖａ）となる。即ち、選択期間と非選択期間の電位差が低減される。また、選択期間において、選択セルでは、スキャン電極とアドレス電極との電位差が、従来同様にＶａ＋Ｖｙになるので、アドレス放電を正常に発生させる。
【００７５】
スキャン駆動部６０は、タイミングコントローラ６４から供給されるタイミング制御信号Ｃｙに応答して、リセット期間ＲＰの間にスキャン電極Ｙ１〜Ｙｎに初期化波形を供給した後に、アドレス期間ＡＰの間にスキャン基準電圧Ｖｙｂを供給すると共に、スキャンパルスＳＣＮＰを順次供給する。
【００７６】
ここで、スキャン基準電圧Ｖｙｂは、グラウンド電圧より低くても良い。
【００７７】
そして、スキャン駆動部６０は、タイミングコントローラ６４から供給されるタイミング制御信号Ｃｙに応答して、サステイン期間ＳＰの間にサステインパルスＳＵＰをスキャン電極Ｙ１〜Ｙｎに供給する。
【００７８】
サステイン駆動部６２は、タイミングコントローラ６４から供給されるタイミング制御信号Ｃｚに応答して、セットダウン期間ＳＤの間及びアドレス期間ＡＰの間にサステイン電極Ｚに正極性（＋）のサステイン電圧Ｖｓを供給した後に、サステイン期間ＳＰの間にスキャン駆動部６０と交互にサステインパルスＳＵＰを供給する。
【００７９】
タイミングコントローラ６４は、垂直／水平同期信号及びクロック信号を受け取って、各駆動部５６，５８，６０，６２に必要なタイミング制御信号Ｃｘ，Ｃｙ，Ｃｚを発生し、そのタイミング制御信号Ｃｘ，Ｃｙ，Ｃｚを該当駆動部５６，５８，６０，６２に供給することによって、各駆動部５６，５８，６０，６２を制御する。
【００８０】
この時、データ制御信号Ｃｘには、データをサンプリングするためのサンプリングクロック、ラッチ制御信号、エネルギー回収回路と駆動スイッチ素子のオン・オフ時間を制御するためのスイッチ制御信号が含まれる。
【００８１】
また、スキャン制御信号Ｃｙには、スキャン駆動部６０内のエネルギー回収回路と駆動スイッチ素子のオン・オフ時間を制御するためのスイッチ制御信号が含まれる。
【００８２】
そして、サステイン制御信号Ｃｚには、サステイン駆動部６２内のエネルギー回収回路と駆動スイッチ素子のオン・オフ時間を制御するためのスイッチ制御信号が含まれる。
【００８３】
駆動電圧発生部６６は、セットアップ電圧Ｖｓｅｔｕｐ、負極性のスキャン電圧−Ｖｙ、スキャンバイアス電圧Ｖｓｃ及び正極性（＋）のサステイン電圧Ｖｓを発生して、スキャン駆動部６０及びサステイン駆動部６２に供給する。
【００８４】
また、駆動電圧発生部６６は、赤色（Ｒ）、緑色（Ｇ）及び青色（Ｂ）データに該当するデータ電圧Ｖａを発生してデータ駆動部５６に供給する。
【００８５】
また、この駆動電圧発生部６６は、データ駆動部５６にデータ電圧Ｖａによる電圧耐圧を減少させるための正極性（＋）バイアス電圧である第１電圧Ｖａｂを供給する。
【００８６】
一方、数式１は、アドレス放電のためのデータ電圧Ｖａ、スキャン電圧Ｖｙ、壁電荷電圧Ｖｗａｌｌ及び放電開始電圧Ｖｆの関係を表した式である。
【００８７】
＜数式１＞
2007004178.tif 000003
【００８８】
数式１のように、アドレス期間ＡＰにおいて選択される放電セルにおける放電のための条件は、データ電圧Ｖａ、スキャン電圧−Ｖｙ及び壁電荷電圧Ｖｗａｌｌの電圧の大きさの和が放電開始電圧より大きくなければならない。すなわち、データ電圧Ｖａ、スキャン電圧−Ｖｙ及び壁電荷電圧Ｖｗａｌｌの電圧の大きさの和が放電開始電圧Ｖｆより大きくなる場合、アドレス放電が行なわれ、サステイン放電が発生する放電セルが選択される。
【００８９】
同様に、サステイン放電が発生しないオフセルでは、スキャン電圧Ｖｙとデータ電圧Ｖａが印加されなくなり、放電開始電圧Ｖｆより小さな電圧が維持される。これを数式２に示した。
【００９０】
＜数式２＞
2007004178.tif 000004
【００９１】
すなわち、アドレス電極Ｘ１〜Ｘｍに印加される第１電圧Ｖａｂ、壁電荷電圧Ｖｗａｌｌ及びスキャン電圧Ｖｙのみが印加され、放電に必要な電圧がデータ電圧Ｖａと第１電圧Ｖａｂの差電圧分が不足するようになる。これにより、第１電圧Ｖａｂが印加されても、オフセルでは放電が発生しなくなる。
【００９２】
したがって、第１電圧Ｖａｂの大きさは、数式３のように定義される。
【００９３】
＜数式３＞
2007004178.tif 000005
【００９４】
すなわち、第１電圧Ｖａｂは、従来のグラウンド電圧ＧＮＤの大きさより大きく、放電開始電圧Ｖｆからスキャン電圧Ｖｙ及び壁電荷計電圧Ｖｗａｌｌを引いた電圧の大きさより小さな電圧を有することが好ましい。
【００９５】
また、第１電圧Ｖａｂは、１／４データ電圧Ｖａ／４の大きさより大きく、放電開始電圧Ｖｆからスキャン電圧Ｖｙ及び壁電荷計電圧Ｖｗａｌｌを引いた電圧の大きさより小さな電圧を有することがさらに好ましい。
【００９６】
このように、第１電圧Ｖａｂは、データパルスＤＰが印加されない期間には、放電を発生せず、かつデータ駆動部５６に加えられる電圧耐圧を最も效率良く減少させることのできる範囲内で決定されなければならない。
【００９７】
図６は、本発明の一実施形態に係るプラズマディスプレイ装置のうち、データ駆動部を示す図である。
【００９８】
同図に示すように、本発明の一実施形態に係るプラズマディスプレイ装置において、データ駆動部５６は、アドレス電極Ｘ１〜Ｘｍにデータ電圧Ｖａが供給されるように制御するデータ電圧供給制御部８２、アドレス電極Ｘ１〜Ｘｍに第１電圧Ｖａｂが供給されるように制御する第１電圧供給制御部８４、アドレス電極Ｘ１〜Ｘｍにグラウンド電圧ＧＮＤが供給されるように制御するグラウンド電圧供給制御部８６及びデータ集積回路（Ｉｎｔｅｒｇｒａｔｅｄ  Ｃｉｒｃｕｉｔ；以下「ＩＣ」と記す）８８を備える。
データ駆動部５６は、各アドレス電極Ｘ１〜Ｘｍごとに、図６に示す８２，８４，８６，８８の構成を備えている。言い換えれば、データ駆動部５６は、各アドレス電極Ｘ１〜Ｘｍの数だけ図６の構成を有する。データ駆動部５６は、各アドレス電極Ｘ１〜Ｘｍに接続される複数の端子を有し、各端子は図６のデータ集積回路８８のＳＷ５とＳＷ６との間のノードに接続される。
【００９９】
データ電圧供給制御部８２は、タイミングコントローラー６４から供給される制御信号Ｃｘに応じて、アドレス期間の間にアドレス電極Ｘ１〜Ｘｍにデータ電圧Ｖａが供給されるように制御する。
【０１００】
このようなデータ電圧供給制御部８２は、データ電圧源ＶａとデータＩＣ８８との間に接続された第１スイッチＳＷ１を含む。
【０１０１】
第１電圧供給制御部８４は、タイミングコントローラー６４から供給される制御信号Ｃｘに応じて、アドレス期間の間にアドレス電極Ｘ１〜Ｘｍに第１電圧Ｖａｂが供給されるように制御する。
【０１０２】
この時、第１電圧供給制御部８４は、データ電圧供給制御部８２と交代で駆動される。すなわち、データ電圧供給制御部８２によりアドレス電極Ｘ１〜Ｘｍにデータ電圧Ｖａが供給される時に、第１電圧供給制御部８４は動作しない。これに対し、第１電圧供給制御部８４によりアドレス電極Ｘ１〜Ｘｍに第１電圧Ｖａｂが供給される時に、データ電圧供給制御部８２は駆動しない。
データパルスＤＰを供給する期間以外の期間（非選択期間）では、データ電圧供給制御部８２を停止させて第１電圧供給制御部８４により第１電圧Ｖａｂ（０＜Ｖａｂ＜Ｖａ）を供給し、データパルスＤＰを供給する期間（選択期間）では、第１電圧供給制御部８４を停止させてデータ電圧供給制御部８２によりデータ電圧Ｖａを供給する。このようなＶａ及びＶａｂの供給制御は、各アドレス電極ごとに実行する。
即ち、データパルスＤＰを供給する期間以外の期間（非選択期間）において、アドレス電極をＧＮＤではなく、第１電圧Ｖａｂ（０＜Ｖａｂ＜Ｖａ）に維持する一方、データパルスＤＰを供給する期間（選択期間）には、アドレス電極には従来同様のＶａを印加するため、従来同様にスキャン電極−アドレス電極間の電位差Ｖａ＋Ｖｙが確保される。
なお、本実施形態では、非選択期間に第１電圧Ｖａｂを供給し、選択期間に第１電圧Ｖａｂの供給を停止させてデータ電圧Ｖａを供給する構成とした。一方、非選択期間に第１電圧Ｖａｂを供給し、選択期間に、第１電圧Ｖａｂの供給を持続させながら、Ｖａ−Ｖａｂの大きさの電圧を重ねて印加することにより、Ｖａｂ＋（Ｖａ−Ｖａｂ）＝Ｖａをアドレス電極に印加するようにしても、同様の作用効果を得ることが可能である。
【０１０３】
このような第１電圧供給制御部８４は、第１電圧源ＶａｂとデータＩＣ８８との間に直列に接続された第２スイッチＳＷ２及び第３スイッチＳＷ３を含む。
【０１０４】
この時、第２スイッチＳＷ２のボディーダイオードは、アドレス電極Ｘ１〜Ｘｍにデータ電圧Ｖａが供給される時に、データＩＣ８８から第１電圧源Ｖａｂへの逆電流を防止し、第３スイッチＳＷ３のボディーダイオードは、アドレス電極Ｘ１〜Ｘｍにグラウンド電圧ＧＮＤ（０Ｖ）が供給される時に、第１電圧源Ｖａｂからの逆電流を防止する。
【０１０５】
グラウンド電圧供給制御部８６は、タイミングコントローラー６４から供給される制御信号Ｃｘに応じて、リセット期間及びサステイン期間の間に、アドレス電極Ｘ１〜Ｘｍにグラウンド電圧ＧＮＤ（０Ｖ）が供給されるように制御する。
【０１０６】
このようなグラウンド電圧供給制御部８６は、第１電圧供給制御部８４と並列に接続され、グラウンド電圧源ＧＮＤとデータＩＣ８８との間に接続された第４スイッチＳＷ４を含む。
【０１０７】
この時、第４スイッチＳＷ４のボディーダイオードは、アドレス電極Ｘ１〜Ｘｍにデータ電圧Ｖａ及び第１電圧Ｖａｂが供給される時に、データＩＣ８８からグラウンド電圧源ＧＮＤへの逆電流を防止する。
【０１０８】
データＩＣ８８は、アドレス電極Ｘ１〜Ｘｍに接続され、タイミングコントローラー６４から供給される制御信号Ｃｘに応じてデータ電圧Ｖａ、第１電圧Ｖａｂ及びグラウンド電圧ＧＮＤをアドレス電極Ｘ１〜Ｘｍに供給する。
【０１０９】
このようなデータＩＣ８８は、データ電圧供給制御部８２とアドレス電極Ｘ１〜Ｘｍとの間に接続された第５スイッチＳＷ５と、第２電圧供給制御部８４及びグラウンド電圧供給制御部８６の共通端子とアドレス電極Ｘ１〜Ｘｍとの間に接続された第６スイッチＳＷ６とを含む。
【０１１０】
このように本発明の一実施形態に係るプラズマディスプレイ装置において、データ駆動部５６は、アドレス電極Ｘ１〜Ｘｍにデータ電圧Ｖａが供給される時に、第１電圧供給制御部８４に含まれた第２スイッチＳＷ２及び第３スイッチＳＷ３と、グラウンド電圧供給制御部８６に含まれた第４スイッチＳＷ４に電圧が分散されるため、スイッチＳＷ２〜ＳＷ４の耐圧条件は低くなる。
【０１１１】
図７は、本発明の一実施形態に係るプラズマディスプレイ装置により生成される駆動波形を示す図である。
【０１１２】
同図に示すように、本発明のＰＤＰは、全画面の放電セル５４を初期化するためののためのリセット期間ＲＰ、セルを選択するためのアドレス期間ＡＰ、選択された放電セル５４の放電を維持させるためのサステイン期間ＳＰを含む。
【０１１３】
リセット期間ＲＰのうち、セットアップ期間ＳＵには、全てのスキャン電極Ｙに立ち上がりランプ波形ＰＲが印加され、サステイン電極Ｚには、グラウンド電圧（０Ｖ）が印加され、アドレス電極Ｘには、グラウンド電圧ＧＮＤが印加される。
【０１１４】
これにより、セットアップ期間ＳＵには、立ち上がりランプ波形ＰＲにより全画面のセル内でスキャン電極Ｙとアドレス電極Ｘとの間に光がほとんど発生しない暗放電（Ｄａｒｋ  Ｄｉｓｃｈａｒｇｅ）が発生すると同時に、スキャン電極Ｙとサステイン電極Ｚとの間でも暗放電が起きる。
【０１１５】
このような暗放電によって、セットアップ期間ＳＵの直後には、アドレス電極Ｘとサステイン電極Ｚ上には、正極性の壁電荷が残り、スキャン電極Ｙ上には、負極性の壁電荷が残る。
【０１１６】
セットアップ期間ＳＵに続いて、リセット期間ＲＰのセットダウン期間ＳＤには、サステイン電圧Ｖｓから負極性の消去電圧−Ｖｅまで所定の傾斜で立ち下がる立下りランプ波形ＮＲがスキャン電極Ｙ１〜Ｙｎに印加される。
【０１１７】
これと同時に、サステイン電極Ｚには、正極性のサステイン電圧Ｖｓが印加され、アドレス電極Ｘには、グラウンド電圧ＧＮＤが印加される。
【０１１８】
これによって、立下りランプ波形ＮＲにより全画面の放電セル５４内でスキャン電極Ｙとアドレス電極Ｘとの間に暗放電が発生すると共に、スキャン電極Ｙとサステイン電極Ｚとの間でも暗放電が起きる。
【０１１９】
このセットダウン期間ＳＤの暗放電により、各放電セル３内の壁電荷分布は、アドレスの最適条件に変わるようになる。すなわち、各放電セル３内においてスキャン電極Ｙとアドレス電極Ｘ上には、アドレス放電に不要な過度壁電荷が消去され、一定の量の壁電荷が残る。
【０１２０】
そして、サステイン電極Ｚ上の壁電荷は、スキャン電極Ｙから移動する負極性の壁電荷が蓄積されるにしたがい、その極性が正極性から負極性へと反転する。
【０１２１】
アドレス期間ＡＰの初期には、負極性のスキャンパルスＳＣＮＰがスキャン電極Ｙに順次印加される時にスキャンパルスＳＣＮＰと同期されて、アドレス電極Ｘにデータ電圧Ｖａ値を有するデータパルスＤＰが印加される。より詳細には、アドレス期間において、データパルスＤＰを供給する期間以外の期間（非選択期間）には、第１電圧Ｖａｂ（０＜Ｖａｂ＜Ｖａ）を供給し、データパルスＤＰを供給する期間（選択期間）には、データ電圧Ｖａを供給する。
【０１２２】
また、サステイン電極Ｚには、正極性のサステイン電圧Ｖｓ又はそれより低い正極性のバイアス電圧Ｖｚｂが印加される。
【０１２３】
ここで、第１電圧Ｖａｂは、グラウンド電圧（０Ｖ）より大きく、データ電圧Ｖａより小さな電圧値を有する。
【０１２４】
また、スキャンパルスＳＣＮＰとは、グラウンド電圧（０Ｖ）又はそれと近い負極性のスキャン基準電圧Ｖｙｂから負極性のスキャン電圧−Ｖｙまで低くなるスキャン電圧Ｖｓｃのことを意味する。これによって、アドレス期間ＡＰの間にスキャン電圧Ｖｓｃ及びデータ電圧Ｖａが印加されるオンセル（Ｏｎ−Ｃｅｌｌｓ）内には、スキャン電極Ｙとアドレス電極Ｘとの間にアドレス放電が発生する。
【０１２５】
サステイン期間ＳＰには、サステイン電圧レベルＶｓのサステインパルスＳＵＰがスキャン電極Ｙとサステイン電極Ｚに交互に印加され、アドレス電極Ｘには、グラウンド電圧ＧＮＤ（０Ｖ）が印加される。
【０１２６】
そうすると、アドレス放電により選択されたオンセルでは、毎サステインパルスＳＵＰが印加されるごとにスキャン電極Ｙとサステイン電極Ｚとの間でサステイン放電が発生する。
【０１２７】
これに対して、オフセル（Ｏｆｆ−Ｃｅｌｌｓ）では、サステイン期間ＳＰの間にサステイン放電が発生しない。
【０１２８】
このように本発明の一実施形態に係るプラズマディスプレイ装置及びその駆動方法では、リセット期間ＲＰ及びサステイン期間ＳＰの間にアドレス電極Ｘにグラウンド電圧ＧＮＤ（０Ｖ）を印加し、アドレス期間ＡＰのうち、データパルスＤＰが印加されない残り期間の間に、アドレス電極Ｘにグラウンド電圧（０Ｖ）より大きく、データ電圧Ｖａより小さな第１電圧Ｖａｂが印加されるため、データ駆動部に加えられる耐圧は低減する。
【０１２９】
すなわち、従来とは異なり、本発明では、アドレス電極Ｘ１〜Ｘｍに持続的に維持される正極性のバイアス電圧Ｖａｂと基準電圧ＧＮＤ（０［Ｖ］）の差電圧分だけデータ駆動部に加えられる耐圧が低減し、データ駆動部の電圧負担が減少する。
【０１３０】
図８は、本発明の一実施形態に係るプラズマディスプレイ装置により生成される他の駆動波形を示す図である。
【０１３１】
同図に示すように、本発明の一実施形態に係るプラズマディスプレイ装置により生成される他の駆動波形は、全画面の放電セル３を初期化するためのリセット期間ＲＰ、セルを選択するためのアドレス期間ＡＰ、選択された放電セル３の放電を維持させるためのサステイン期間ＳＰを含む。
【０１３２】
リセット期間ＲＰのうち、セットアップ期間ＳＵには、全てのスキャン電極Ｙには立ち上がりランプ波形ＰＲが印加され、サステイン電極Ｚには、グラウンド電圧（０Ｖ）が印加され、アドレス電極Ｘには、正極性の第１電圧Ｖａｂが印加される。
【０１３３】
ここで、第１電圧Ｖａｂは、グラウンド電圧（０Ｖ）より大きく、データ電圧Ｖａより小さな電圧値を有する。
【０１３４】
これによって、セットアップ期間ＳＵには、立ち上がりランプ波形ＰＲにより全画面のセル内でスキャン電極Ｙとアドレス電極Ｘとの間に光がほとんど発生しない暗放電が発生すると同時に、スキャン電極Ｙとサステイン電極Ｚとの間でも暗放電が起きる。
【０１３５】
このような暗放電によって、セットアップ期間ＳＵの直後には、アドレス電極Ｘ及びサステイン電極Ｚ上には正極性の壁電荷が残り、スキャン電極Ｙ上には、負極性の壁電荷が残る。
【０１３６】
セットアップ期間ＳＵに続いて、リセット期間ＲＰのセットダウン期間ＳＤには、サステイン電圧Ｖｓから負極性の消去電圧Ｖｅまで所定の傾斜で立ち下がる立下りランプ波形ＮＲがスキャン電極Ｙ１〜Ｙｎに印加される。
【０１３７】
これと同時に、サステイン電極Ｚ１〜Ｚｎには、正極性のサステイン電圧Ｖｓが印加され、アドレス電極Ｘには、第１電圧Ｖａｂが印加される。
【０１３８】
これによって、立下りランプ波形ＮＲにより全画面の放電セル３内でスキャン電極Ｙとアドレス電極Ｘとの間に暗放電が発生すると同時に、スキャン電極Ｙとサステイン電極Ｚとの間でも暗放電が起きる。
【０１３９】
このセットダウン期間ＳＤの暗放電により、各放電セル３内の壁電荷分布は、アドレスの最適条件に変わるようになる。
【０１４０】
すなわち、各放電セル３内でスキャン電極Ｙとアドレス電極Ｘ上には、アドレス放電に不要な過度壁電荷が消され、一定の量の壁電荷が残る。
【０１４１】
そして、サステイン電極Ｚ上の壁電荷は、スキャン電極Ｙから移動する負極性の壁電荷が蓄積されながら、その極性が正極性から負極性へと反転される。
【０１４２】
アドレス期間ＡＰには、負極性のスキャン信号ＳＣＮＰがスキャン電極Ｙに順次印加されると同時に、スキャン信号ＳＣＮＰに同期されてアドレス電極Ｘに正極性のデータパルスＤＰが印加され、サステイン電極Ｚには、正極性のサステイン電圧Ｖｓ又はそれより低い正極性のバイアス電圧Ｖｚｂが印加される。より詳細には、アドレス期間において、データパルスＤＰを供給する期間以外の期間（非選択期間）には、第１電圧Ｖａｂ（０＜Ｖａｂ＜Ｖａ）を供給し、データパルスＤＰを供給する期間（選択期間）には、データ電圧Ｖａを供給する。
【０１４３】
ここで、スキャン信号ＳＣＮＰは、グラウンド電圧（０Ｖ）又はそれと近い負極性のスキャン基準電圧Ｖｙｂから負極性のスキャン電圧−Ｖｙまで低くなるスキャン電圧Ｖｓｃである。
【０１４４】
これによって、アドレス期間ＡＰの間にスキャン電圧Ｖｓｃとデータ電圧Ｖａが印加されるオンセル（Ｏｎ-Ｃｅｌｌｓ）内には、スキャン電極Ｙとアドレス電極Ｘとの間でアドレス放電が発生する。
【０１４５】
サステイン期間ＳＰには、サステイン電圧レベルＶｓのサステインパルスＳＵＰがスキャン電極Ｙとサステイン電極Ｚに交互に印加される。
【０１４６】
そうすると、アドレス放電により選択されたオンセルでは、毎サステインパルスＳＵＰが印加されるごとに、スキャン電極Ｙとサステイン電極Ｚとの間でサステイン放電が発生する。
【０１４７】
これに対し、オフセル（Ｏｆｆ-Ｃｅｌｌｓ）では、サステイン期間ＳＰの間にサステイン放電が発生しない。
【０１４８】
このように本発明の一実施形態に係るプラズマディスプレイ装置及びその駆動方法では、リセット期間ＲＰ、サステイン期間ＳＰ及びアドレス期間ＡＰのうち、データパルスＤＰが印加されない残り期間の間に、アドレス電極Ｘにグラウンド電圧（０Ｖ）より大きく、データ電圧Ｖａより小さな第１電圧Ｖａｂが印加されるため、データ駆動部に加えられる耐圧は低減する。
【０１４９】
データパルスＤＰが印加されない期間にアドレス電極Ｘ１〜Ｘｍに印加される正極性のバイアス電圧Ｖａｂにより、データ駆動部に加えられる耐圧が低減する。
【０１５０】
すなわち、従来とは異なり、本発明では、データ供給期間とデータ供給期間との電位差がＶａ−Ｖａｂとなるので、アドレス電極Ｘ１〜Ｘｍに持続的に維持される正極性のバイアス電圧Ｖａｂとグラウンド電圧ＧＮＤ（０［Ｖ]）との差分だけデータ駆動部に加えられる耐圧が低減して、データ駆動部の電圧負担が低減する。
【０１５１】
図９は、本発明の一実施形態に係るプラズマディスプレイ装置により生成される駆動波形による放電セルの選択を説明するための図である。なお、ここでは、スキャン電極Ｙ１〜Ｙ３に印加されるスキャン電圧−Ｖｙは、選択セルに対応する部分にだけ示し、非選択セルに対応する部分では記載を省略している。
【０１５２】
同図に示すように、従来とは異なりデータ駆動部５６に供給される電圧がデータ電圧Ｖａと正極性のバイアス電圧Ｖａｂに変更されたことが分かる。即ち、選択セルにデータパルスＤＰを供給する期間以外の期間（非選択期間）には、バイアス電圧Ｖａｂ（０＜Ｖａｂ＜Ｖａ）をアドレス電極に印加し、選択セルにデータパルスＤＰを供給する期間（選択期間）にはデータ電圧Ｖａをアドレス電極に印加する。これにより、選択期間と非選択期間との電位差がＶａ−Ｖａｂとなる。即ち、従来の電位差Ｖａに比べて低減される。
これに対し、動作のために印加される波形（電位差Ｖａ＋Ｖｙ）は変わらないことが分かる。
【０１５３】
すなわち、本発明は、データ駆動部５６に供給されるグラウンド電圧ＧＮＤを正極性のバイアス電圧Ｖａｂに替えることによって、従来の駆動波形の変化なしでデータ駆動部５６の耐圧定格を低くすることができる。これをによって、従来より低コストでデータ駆動部５６を具現することが可能となる。
【０１５４】
本発明は、アドレス期間のうち、データパルスが供給されない残り期間の間に、アドレス電極にグラウンド電圧より大きく、かつ、データ電圧より小さな正極性のバイアス電圧を供給することによって、正極性のバイアス電圧分のデータ駆動部の耐圧を低減することができる。
【０１５５】
また、データ駆動部が低い耐圧定格を有するようになるので、データ駆動部から発生する熱を減少させることができ、駆動素子の破損及び誤動作を防止できるという効果がある。
【０１５６】
なお、本発明は、上記の実施形態に限定されるものではなく、本発明に係る技術的思想から逸脱しない範囲内で様々な変更が可能であり、それらも本発明の技術的範囲に属する。
【図面の簡単な説明】
【０１５７】
【図１】従来のプラズマディスプレイ装置の駆動波形を示す図である。
【図２】通常のプラズマディスプレイ装置の電極配置を示す図である。
【図３】図２のようなプラズマディスプレイ装置において、アドレス期間に電極に印加される駆動信号及び選択される放電セルを簡略に示す図である。
【図４】本発明の一実施形態に係るプラズマディスプレイ装置において、２５６階調を具現するための８ビットデフォルトコードのサブフィールドパターンを示す図である。
【図５】本発明の実施形態に係るプラズマディスプレイ装置を示す図である。
【図６】本発明の一実施形態に係るプラズマディスプレイ装置のうち、データ駆動部を示す図である。
【図７】本発明の一実施形態に係るプラズマディスプレイ装置により生成される駆動波形を示す図である。
【図８】本発明の一実施形態に係るプラズマディスプレイ装置により生成される他の駆動波形を示す図である。
【図９】本発明の一実施形態に係るプラズマディスプレイ装置により生成される駆動波形による放電セルの選択を説明するための図である。
【図７】
2007004178.tif 000006
【図８】
2007004178.tif 000007
【図１】
2007004178.tif 000008
【図２】
2007004178.tif 000009
【図３】
2007004178.tif 000010
【図４】
2007004178.tif 000011
【図５】
2007004178.tif 000012
【図６】
2007004178.tif 000013
【図９】
2007004178.tif 000014